(57)【特許請求の範囲】
【請求項１】
概略円筒状の濾過体の内側にスクリュウが回転可能に挿入され、前記スクリュウの一端側から前記濾過体との間に供給された処理物を、該スクリュウの回転によって他端側に搬送しつつ、前記濾過体により濾過し、前記他端側に設けられる排出口から排出するスクリュウプレス式濾過装置であって、
前記濾過体が洗浄される場合に前記濾過体内に残留する残留物を排出する排出部が前記濾過体の一端側に設けられ、
濾過工程から洗浄工程に移行した後、前記濾過体を洗浄水によって洗浄した際に前記濾過体内に残留する残留物を前記スクリュウの回転を逆回転させ、前記排出部から排出する制御を行う制御部と、
を有することを特徴とするスクリュウプレス式濾過装置。
【請求項２】
前記排出部に設けられ、前記制御手段からの指示に応じて開閉する開閉弁を有することを特徴とする請求項１記載のスクリュウプレス式濾過装置。
【請求項３】
前記制御部は、前記スクリュウを逆回転させる時間が、前記濾過体内に残留した残留物を前記排出口から前記排出部まで搬送する時間に応じて設定される
ことを特徴とする請求項１または請求項２記載のスクリュウプレス式濾過装置。
【請求項４】
前記制御部は、洗浄工程に移行した後、前記スクリュウを一定時間正回転させて濾過体内の処理物を前記排出口から排出した後に、前記排出口に設けられる背圧弁を閉じ、前記濾過体を洗浄水によって洗浄し、前記スクリュウを逆回転させる
ことを特徴とする請求項１から請求項３のうちいずれかに記載のスクリュウプレス式濾過装置。
【請求項５】
概略円筒状の濾過体の内側にスクリュウが回転可能に挿入され、前記スクリュウの一端側から前記濾過体との間に供給された処理物を、該スクリュウの回転によって他端側に搬送しつつ、前記濾過体により濾過し、前記他端側に設けられる排出口から排出するスクリュウプレス式濾過装置を制御する制御方法であって、
濾過工程から洗浄工程に移行した後、前記濾過体を洗浄水によって洗浄した際に前記濾過体内に残留する残留物を前記スクリュウの回転を逆回転させ、前記濾過体の一端側に設けられた排出部から排出する
ことを特徴とするスクリュウプレス式濾過装置の制御方法。
【請求項６】
概略円筒状の濾過体の内側にスクリュウが回転可能に挿入され、前記スクリュウの一端側から前記濾過体との間に供給された処理物を、該スクリュウの回転によって他端側に搬送しつつ、前記濾過体により濾過し、前記他端側に設けられる排出口から排出するスクリュウプレス式濾過装置を制御する制御プログラムを記録したコンピュータ読み取り可能な記録媒体であって、
濾過工程から洗浄工程に移行した後、前記濾過体を洗浄水によって洗浄した際に前記濾過体内に残留する残留物を前記スクリュウの回転を逆回転させ、前記濾過体の一端側に設けられた排出部から排出するステップ
をコンピュータに実行させる制御プログラムを記録した記録媒体。
【請求項７】
概略円筒状の濾過体の内側にスクリュウが回転可能に挿入され、前記スクリュウの一端側から前記濾過体との間に供給された処理物を、該スクリュウの回転によって他端側に搬送しつつ、前記濾過体により濾過し、前記他端側に設けられる排出口から排出するスクリュウプレス式濾過装置を制御する制御プログラムであって、
濾過工程から洗浄工程に移行した後、前記濾過体を洗浄水によって洗浄した際に前記濾過体内に残留する残留物を前記スクリュウの回転を逆回転させ、前記濾過体の一端側に設けられた排出部から排出するステップ
をコンピュータに実行させるスクリュウプレス式濾過装置の制御プログラム。
【発明の詳細な説明】
【０００１】
【発明の属する技術分野】
この発明は、効率的な洗浄を行うことができるスクリュウプレス式濾過装置に関するものである。
【０００２】
【従来の技術】
従来より、洗浄管を備えたスクリュウプレス式濾過装置がある。例えば、円筒状の濾過体の外周に、この濾過体よりも一回り大きな円環状をなす洗浄管をスクリュウの回転軸線方向に設け、この洗浄管の内周に設けられたノズルによって洗浄液を濾過体の外周側から内周側に向かって噴射することにより、濾過体の洗浄が行われている。
【０００３】
【発明が解決しようとする課題】
しかしながら、上述した従来技術におけるスクリュウプレス式濾過装置において、濾過体に形成され処理物を濾過する濾過部である通水孔より小さな処理物の粒子は、洗浄水とともに濾過体の外部に流出されるが、通水孔より大きい処理物の粒子は、通水孔を通過することができないので、濾過体内に残留してしまい、これにより、洗浄効率が低下してしまっていた。
本発明はこのような事情に鑑みてなされたもので、その目的は、効率的な洗浄を行うことができるスクリュウプレス式濾過装置を提供することにある。
【０００４】
【課題を解決するための手段】
上記目的を達成するために、本発明は、概略円筒状の濾過体の内側にスクリュウが回転可能に挿入され、前記スクリュウの一端側から前記濾過体との間に供給された処理物を、該スクリュウの回転によって他端側に搬送しつつ、前記濾過体により濾過し、前記他端側に設けられる排出口から排出するスクリュウプレス式濾過装置であって、前記濾過体が洗浄される場合に前記濾過体内に残留する残留物を排出する排出部が前記濾過体の一端側に設けられ、濾過工程から洗浄工程に移行した後、前記濾過体を洗浄水によって洗浄した際に前記濾過体内に残留する残留物を前記スクリュウの回転を逆回転させ、前記排出部から排出する制御を行う制御部と、を有することを特徴とする。
【０００５】
また、本発明は、上述のスクリュウプレス式濾過装置において、前記排出部に設けられ、前記制御手段からの指示に応じて開閉する開閉弁を有することを特徴とする。
また、本発明は、上述のスクリュウプレス式濾過装置において、前記制御部は、前記スクリュウを逆回転させる時間が、前記濾過体内に残留した残留物を前記排出口から前記排出部まで搬送する時間に応じて設定されることを特徴とする。
【０００６】
また、本発明は、上述のスクリュウプレス式濾過装置において、前記制御部は、洗浄工程に移行した後、前記スクリュウを一定時間正回転させて濾過体内の処理物を前記排出口から排出した後に、前記排出口に設けられる背圧弁を閉じ、前記濾過体を洗浄水によって洗浄し、前記スクリュウを逆回転させることを特徴とする。
【０００７】
また、本発明は、概略円筒状の濾過体の内側にスクリュウが回転可能に挿入され、前記スクリュウの一端側から前記濾過体との間に供給された処理物を、該スクリュウの回転によって他端側に搬送しつつ、前記濾過体により濾過し、前記他端側に設けられる排出口から排出するスクリュウプレス式濾過装置を制御する制御方法であって、濾過工程から洗浄工程に移行した後、前記濾過体を洗浄水によって洗浄した際に前記濾過体内に残留する残留物を前記スクリュウの回転を逆回転させ、前記濾過体の一端側に設けられた排出部から排出することを特徴とする。
【０００８】
また、本発明は、概略円筒状の濾過体の内側にスクリュウが回転可能に挿入され、前記スクリュウの一端側から前記濾過体との間に供給された処理物を、該スクリュウの回転によって他端側に搬送しつつ、前記濾過体により濾過し、前記他端側に設けられる排出口から排出するスクリュウプレス式濾過装置を制御する制御プログラムを記録したコンピュータ読み取り可能な記録媒体であって、濾過工程から洗浄工程に移行した後、前記濾過体を洗浄水によって洗浄した際に前記濾過体内に残留する残留物を前記スクリュウの回転を逆回転させ、前記濾過体の一端側に設けられた排出部から排出するステップをコンピュータに実行させる制御プログラムを記録した記録媒体である。
【０００９】
また、本発明は、概略円筒状の濾過体の内側にスクリュウが回転可能に挿入され、前記スクリュウの一端側から前記濾過体との間に供給された処理物を、該スクリュウの回転によって他端側に搬送しつつ、前記濾過体により濾過し、前記他端側に設けられる排出口から排出するスクリュウプレス式濾過装置を制御する制御プログラムであって、濾過工程から洗浄工程に移行した後、前記濾過体を洗浄水によって洗浄した際に前記濾過体内に残留する残留物を前記スクリュウの回転を逆回転させ、前記濾過体の一端側に設けられた排出部から排出するステップをコンピュータに実行させることを特徴とする。
【００１０】
【発明の実施の形態】
以下、本発明の一実施形態によるスクリュウプレス式濾過装置を図面を参照して説明する。図１は、この発明の一実施形態によるスクリュウプレス式濾過装置の構成を示す概略ブロック図である。この図において、スクリュウ４は、軸線Ｏを中心としてスクリュウシャフト４Ａの外周にスクリュウ羽根４Ｂが螺旋状に形成され、軸受５、５に回転可能に支持されている。このスクリュウ４の他端側の軸受５に支持されたスクリュウシャフト４Ａの端部には、スクリュウ４を回転させる駆動部５０が連結される。
【００１１】
スクリュウ４は、駆動部５０がスクリュウシャフト４Ａに連結されることにより、軸線Ｏ周りに回転駆動され、その一端側から供給された処理物を他端側に搬送する。駆動部５０は、例えば、モータであり、制御部４０の駆動制御部４２から指示される回転数ｎになるようにスクリュウを回転させる。
【００１２】
スクリュウ４のスクリュウ羽根４Ｂのねじれ角および外径はともに一定とされる一方、スクリュウシャフト４Ａの外周は、スクリュウ羽根４Ｂが設けられた部分において、一端側から位置Ｐの範囲では一定の外径とされ、位置Ｐから濾過体１０の他端側に向かう方向に漸次拡径するようになされている。これにより、スクリュウシャフト４Ａの外周と軸線Ｏ方向に隣接するスクリュウ羽根４Ｂ同士との間の空間が、一端側よりも他端側の方が小さくなるようにされている。なお、このように、スクリュウシャフト４Ａの外径を他端側で大きくなるように変化させる代わりに、スクリュウシャフト４Ａの外径は一定としてスクリュウ羽根４Ｂのピッチを他端側に向かうにつれて小さくすることにより上記空間を小さくしてもよい。あるいは、これらを併せて、他端側でスクリュウシャフト４Ａの外径を大きくするとともにスクリュウ羽根４Ｂのピッチを小さくすることにより、上記空間を他端側で小さくするようにしてもよい。
【００１３】
濾過体１０は、概略円筒状をなしており、上述したスクリュウ４が、この濾過体１０の内周に挿入されている。これにより、処理物がスクリュウ４によって一端側から他端側に搬送される間に、この濾過体１０によって脱水されて濾過される。
この濾過体１０には、図２に示すように、中心軸方向両端に設けられた円環板状の一対のフランジ同士の間に、多数のウエッジワイヤー１１がそれぞれ断面先細りとなる側を外周側に向け、かつ互いに極小さな濾過間隔を開けて取り付けられることにより、その胴周部に上述の処理物を濾過する濾過部１２が形成されたものである。たとえば、この濾過体１０には、図２に示すように、ウエッジワイヤー１１・・・は、それぞれ該濾過体１０の中心軸方向すなわち上記軸線Ｏ方向に延びるように配設される。
【００１４】
この濾過体１０の外周には、図３に示すように、該濾過体１０に向けて洗浄液（以下、「洗浄水」と称す）Ｌを噴射することにより濾過体１０を洗浄する洗浄管１９がスクリュウ４の回転軸線Ｏ方向に向けて延びるように配設される。この洗浄管１９の外周には、多数のノズル１９Ａ・・・が軸線Ｏ方向に等間隔に直列に並ぶように、かつ軸線Ｏに直交する断面において該軸線Ｏに向けてそのノズル孔が開口するように設けられている。また、この洗浄管１９には、制御部４０からの指示に基づいて洗浄水を供給する洗浄水ポンプに連結された導水管４９が設けられている。
【００１５】
図１に戻り、さらに、この濾過体１０の一端側には、処理物を供給する供給部１３が設けられる。また、この濾過体１０の一端側には、濾過体１０が洗浄される場合に、洗浄水によって洗い流される濾過体１０内に残留した処理物を洗浄水とともに排出する残留物排出部３０が設けられる。この残留物排出部３０は、制御部４０からの指示に応じて弁を開閉する開閉弁３１が設けられる。
排出口９は、濾過体１０の他端側に設けられ、濾過された処理物をケーキとして排出する。
【００１６】
制御部４０は、処理物を濾過する場合に、スクリュウ４を正回転させ、濾過体１０を洗浄する場合に、スクリュウ４の回転を逆回転させる制御信号を駆動部５０に出力する。また、制御部４０は、スクリュウ４を逆回転させる場合に、開閉弁３１の弁を開け、スクリュウ４を正回転させる場合に、開閉弁３１の弁を閉じる制御を行う。また、制御部４０は、背圧弁２１を進退せしめるための制御信号をシリンダ制御部２４に出力する。また、制御部４０は、装置各部を制御する（詳細は後述する）。
【００１７】
シリンダ制御部２４は、制御部４０からの制御信号に基づいて、エアシリンダ２２が発生する圧力を制御する。背圧弁２１は、排出口９に設けられ、排出口９から排出される処理物の排出を抑制する。
また、背圧弁２１の他端側（駆動部５０側）には、エアシリンダ２２のピストンロッド２２Ａが連結されていて、このピストンロッド２２Ａが軸線Ｏに平行に一端側に向けて出没して背圧弁２１を進退せしめることにより、この背圧弁２１と端部８との間隔を適当に設定して、排出口９からのケーキの排出量を調整することが可能となる。
【００１８】
エアシリンダ２２は、ピストンロッド２２Ａによって背圧弁２１に処理物の排出を抑制する圧力（背圧弁の圧力）を発生させる。このエアシリンダ２２を背圧弁２１に圧力を発生させるための加圧手段として用いることにより、濾過体１０内の圧力の制御を容易に行うことができる。
【００１９】
次に、上述した構成におけるスクリュウプレス式濾過装置の動作について図４のフローチャートを用いて説明する。ここで、運転開始前は、開閉弁３１は閉じているものとする。
まず、スクリュウプレス式濾過装置の運転が開始されると、制御部４０は、処理物を濾過する濾過行程の制御を行う（ステップＳ１）。この濾過行程において、駆動部５０の回転がスクリュウシャフト４Ａに伝達され、処理物が供給部１３から順次供給されると、処理物は、濾過体１０、スクリュウ羽根４Ｂ、およびスクリュウシャフト４Ａにより形成される空間に流入し、濾過体１０の一端側からスクリュウ４の回転によって他端側に搬送されつつ、上述した空間の容積縮小によって徐々に脱水され、濾過される。
【００２０】
上記濾過行程が行われた後、作業員によって入力部６２から濾過行程の終了の指示が入力され、洗浄工程の開始が指示されると、制御部４０は、供給部１３から処理物の供給を停止させた後、一定時間スクリュウ４を回転させ、濾過体１０内の処理物を排出口９から排出する。濾過体１０内の処理物が排出口９から排出されると、制御部４０は、背圧弁２１を閉じる制御信号をシリンダ制御部２４に出力する。シリンダ制御部２４は、背圧弁２１を閉じるようにエアシリンダ２２を制御する。この時点では、濾過体１０の内周面及び外周面には、処理物を濾過した際に発生する付着物が付着している。
【００２１】
次に、制御部４０は、スクリュウ４の回転を停止させる制御信号を駆動部５０に出力し、スクリュウ４の回転を停止させるとともに、洗浄水の供給源に設けられた洗浄水弁を開き、洗浄水ポンプの運転を開始し、洗浄管１９から洗浄水を濾過体１０に噴射し、濾過体１０を洗浄する制御を行う（ステップＳ２）。そして、制御部４０は、一定時間が経過するまで濾過体１０の洗浄を行う（ステップＳ３）。これにより、濾過体１０の外周面に付着した付着物は、洗浄水によって洗い流され、洗浄水とともにスクリュウプレス式濾過装置の外部に排出される。ここで、濾過体１０の内周面に付着した付着物のうち、濾過部１２の濾過間隔より小さい付着物は、洗浄水とともに濾過部１２を通過してスクリュウプレス式濾過装置の外部に排出される。
一方、濾過体１０の内周面に付着した付着物のうち、濾過部１２の濾過間隔より大きい付着物は、洗浄水によって洗い流されるが、濾過部１２を通過できないので、濾過体１０の下方側に残留物として残留する。
【００２２】
次に、一定時間が経過すると、制御部４０は、洗浄水弁を閉じて洗浄水ポンプ停止させ（ステップＳ４）、洗浄水の噴射を停止させる制御を行う。そして、盛業部４０は、一定時間経過した後（ステップＳ５）、スクリュウ４を逆回転させる制御信号を駆動部５０に出力する。駆動部５０は、制御部４０からの制御信号に基づいて、スクリュウ４を逆回転させる（ステップＳ６）。さらに制御部４０は、開閉弁３１の弁を開く制御を行う（ステップＳ７）。
これにより、濾過体１０の下方側に残留する残留物は、逆回転するスクリュウ４によって開閉弁３１側に搬送され、残留物排出部３０から排出される。
【００２３】
次に、制御部４０は、一定時間が経過すると、スクリュウ４の回転を停止させる制御信号を駆動部５０に出力するとともに、開閉弁３１を閉じる制御を行う（ステップＳ９）。駆動部５０は、制御部４０からの制御信号に基づき、スクリュウ４の回転を停止させる。スクリュウ４が停止すると、制御部４０は、洗浄工程を終了する（ステップＳ１０）。以降、運転者からの指示に応じた制御がなされる。
【００２４】
以上説明した実施形態においては、背圧弁２１を閉じてから濾過体１０に洗浄水を噴射するようにしたので、洗浄水が排出口９から排出され、濾過が完了した処理物に混入することを防ぐことができる。
【００２５】
なお、上述した実施形態において、スクリュウ４を逆回転させる一定時間を、濾過体１０内に残留した残留物を排出口９付近から残留物排出部３０まで搬送する時間に応じて設定するようにしてもよい。これにより、濾過体１０内の残留物を確実に濾過体１０の外部に排出することが可能である。
【００２６】
また、図１における制御部４０の機能を実現するためのプログラムをコンピュータ読み取り可能な記録媒体に記録して、この記録媒体に記録されたプログラムをコンピュータシステムに読み込ませ、実行することによりスクリュウプレス式濾過装置の濾過行程における制御を行ってもよい。なお、ここでいう「コンピュータシステム」とは、ＯＳや周辺機器等のハードウェアを含むものとする。
【００２７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００２８】
以上、この発明の実施形態を図面を参照して詳述してきたが、具体的な構成はこの実施形態に限られるものではなく、この発明の要旨を逸脱しない範囲の設計等も含まれる。
【００２９】
【発明の効果】
以上説明したように、この発明によれば、濾過体の一部に、濾過体が洗浄される場合に内部に残留する残留物を排出する排出部を設けるようにしたので、洗浄後に濾過体内に残留する残留物を濾過体外に排出することができ、濾過体の洗浄効率を高めることができる効果が得られる。
また、この発明によれば、排出部を濾過体の一端側に設けるようにしたので、排出口が設けられている他端側に排出部を設ける場合に比べて、スクリュウプレス式濾過装置の構造を簡単にすることができる効果が得られる。
【００３０】
また、この発明によれば、スクリュウを逆回転させて濾過体内の残留物を排出部側に搬送するようにしたので、濾過体内の残留物を確実に濾過体外に排出することができる効果が得られる。
また、この発明によれば、制御手段からの指示に応じて開閉する開閉弁を設けるようにしたので、濾過体を洗浄する以外の場合に、濾過体内の処理物の漏洩を防ぐことができる効果が得られる。
【図面の簡単な説明】
【図１】この発明の一実施形態によるスクリュウプレス式濾過装置の構成を示す概略ブロック図である。
【図２】濾過体１０と洗浄管１９について説明するための図面である。
【図３】濾過体１０と洗浄管１９について説明するための図面である。
【図４】この発明におけるスクリュウプレス式濾過装置の動作について説明するためのフローチャートである。
【符号の説明】
４  スクリュウ                  １０  濾過体
１１  ウエッジワイヤー          １２  濾過部
１９  洗浄管                    ２１  背圧弁
２４  シリンダ制御部            ３０  残留物排出部
３１  開閉弁                    ４０  制御部
【図１】
0003589999.tif 000002
【図２】
0003589999.tif 000003
【図３】
0003589999.tif 000004
【図４】
0003589999.tif 000005